(57)【要約】  本発明に係るリモートコントロール装置１は、加熱動作及び冷却動作の少なくとも何れか一方を行う機器の運転状態を切り替えて設定するための操作部２と、操作部２における操作が反映された画面を表示する表示部３と、表示部３の表示動作を制御する制御部４と、を備え、制御部４は、表示部３に、操作部２で切り替えて設定できる運転状態の種類及び範囲の少なくとも何れか一方を表示させるものである。
2015052786.tif 000002
【特許請求の範囲】
【請求項１】
加熱動作及び冷却動作の少なくとも何れか一方を行う機器の運転状態を切り替えて設定するための操作部と、
前記操作部における操作が反映された画面を表示する表示部と、
前記表示部の表示動作を制御する制御部と、
を備え、
前記制御部は、前記表示部に、前記操作部で切り替えて設定できる運転状態の種類及び範囲の少なくとも何れか一方を表示させる、
ことを特徴とするリモートコントロール装置。
【請求項２】
前記制御部は、前記表示部に、前記操作部で切り替えて設定できる運転モードの種類を表示させる、
ことを特徴とする請求項１に記載のリモートコントロール装置。
【請求項３】
前記制御部は、前記表示部に、前記操作部で切り替えて設定できる設定温度の範囲を表示させる、
ことを特徴とする請求項１又は２に記載のリモートコントロール装置。
【請求項４】
前記制御部は、前記表示部に、前記設定温度の範囲を運転モードと対応付けて表示させる、
ことを特徴とする請求項３に記載のリモートコントロール装置。
【請求項５】
前記制御部は、前記表示部に、前記操作部で切り替えて設定できる風向の種類及び範囲の少なくとも何れか一方を表示させる、
ことを特徴とする請求項１〜４の何れか一項に記載のリモートコントロール装置。
【請求項６】
前記制御部は、前記表示部に、前記操作部で切り替えて設定できる風速の種類及び範囲の少なくとも何れか一方を表示させる、
ことを特徴とする請求項１〜５の何れか一項に記載のリモートコントロール装置。
【請求項７】
前記制御部は、前記表示部に、前記操作部で切り替えて設定できる運転状態の種類を一覧表示させる、
ことを特徴とする請求項１〜６の何れか一項に記載のリモートコントロール装置。
【請求項８】
前記制御部は、前記表示部に、前記運転状態の種類を前記操作部における操作によって切り替えられる順に並べて一覧表示させる、
ことを特徴とする請求項７に記載のリモートコントロール装置。
【請求項９】
前記制御部は、前記表示部に、操作画面を表示させた状態で、前記操作部で切り替えて設定できる運転状態の範囲を表示させる、
ことを特徴とする請求項１〜８の何れか一項に記載のリモートコントロール装置。
【請求項１０】
前記制御部は、前記表示部に、前記操作部で切り替えて設定できる運転状態の種類及び範囲の少なくとも何れか一方と、前記機器の機種情報及び機能情報の少なくとも何れか一方と、を一連の画面として表示させる、
ことを特徴とする請求項１〜９の何れか一項に記載のリモートコントロール装置。
【発明の詳細な説明】
【技術分野】
【０００１】
本発明は、リモートコントロール装置に関するものである。
【背景技術】
【０００２】
空気調和機、冷熱機器、給湯機等の機器（以降、空気調和機等と記載する）、つまり、加熱動作及び冷却動作の少なくとも何れか一方を行う機器では、使用者等が、遠隔地点から運転状態を設定できるように、リモートコントロール装置が付設される場合が多い。使用者等は、リモートコントロール装置に設けられた操作部を操作することで、例えば、運転及び停止の設定、運転モードの設定、運転スケジュールの設定、各種動作の設定等を行うことができる。また、使用者等は、リモートコントロール装置に設けられた表示部を見ることで、設定状態を確認することができる（例えば、特許文献１、２等を参照）。【０００３】
例えば、リモートコントロール装置が、空気調和機のリモートコントロール装置である場合には、操作部として、例えば、運転及び停止の設定のためのボタン、設定温度の設定のためのボタン、運転モードの設定のためのボタン、風向の設定のためのボタン等が設けられる。使用者等は、例えば、現在の室内機の「運転中、設定温度＿２３℃、運転モード＿冷房、風向＿下向き」との運転状態を、「運転中、設定温度＿２５℃、運転モード＿暖房、風向＿上向き」との運転状態に変更する場合には、設定温度を増加するためのボタンを２回押して設定温度を２３℃から２５℃に切り替え、運転モードを変更するためのボタンを３回押して運転モードを冷房→ドライ→送風→暖房の順に切り替え、風向を変更するためのボタンを１回押して風向を下向きから上向きに切り替えることとなる。
【先行技術文献】
【特許文献】
【０００４】
【特許文献１】特開２００６−２９６８７号公報（図３）
【特許文献２】特開平２−２６４５９７号公報（図１）
【発明の概要】
【発明が解決しようとする課題】
【０００５】
そのようなリモートコントロール装置では、操作部を実際に操作してみないと、設定できる運転状態の種類、範囲等を知ることができない。そのため、使用者等が、運転状態を設定する際に、ボタンを不必要に押さなければならず、また、試行錯誤しつつ押さなければならないため、設定作業の効率性が低いという問題点があった。また、使用者等が、設定できる運転状態の種類、範囲等を確認するために、空気調和機等を動作させる必要があるため、確認作業の効率性が低いという問題点があった。【０００６】
本発明は、上記のような課題を背景としてなされたものであり、設定作業及び確認作業の効率性が向上されたリモートコントロール装置を得るものである。
【課題を解決するための手段】
【０００７】
本発明に係るリモートコントロール装置は、加熱動作及び冷却動作の少なくとも何れか一方を行う機器の運転状態を切り替えて設定するための操作部と、前記操作部における操作が反映された画面を表示する表示部と、前記表示部の表示動作を制御する制御部と、を備え、前記制御部は、前記表示部に、前記操作部で切り替えて設定できる運転状態の種類及び範囲の少なくとも何れか一方を表示させるものである。
【発明の効果】
【０００８】
本発明に係るリモートコントロール装置では、制御部が、表示部に、操作部で切り替えて設定できる運転状態の種類及び範囲の少なくとも何れか一方を表示させる。そのため、使用者等が、ボタンを不必要に押すこと、試行錯誤しつつ押すこと等が抑制されて、設定作業の効率性が向上される。また、使用者等が、空気調和機等を動作させることなく、設定できる運転状態の種類及び範囲の少なくとも何れか一方を確認でき、確認作業の効率性が向上される。
【図面の簡単な説明】
【０００９】
【図１】実施の形態１に係るリモートコントロール装置の外観を示す図である。
【図２】実施の形態１に係るリモートコントロール装置のシステム構成を示す図である。
【図３】実施の形態１に係るリモートコントロール装置の表示部に表示されるメイン画面の一例を示す図である。
【図４】実施の形態１に係るリモートコントロール装置の表示部に表示されるメニュー画面の一例を示す図である。
【図５】実施の形態１に係るリモートコントロール装置の表示部の動作を説明するための図である。
【図６】実施の形態２に係るリモートコントロール装置の表示部の動作を説明するための図である。
【図７】実施の形態２に係るリモートコントロール装置の表示部の動作を説明するための図である。
【図８】実施の形態３に係るリモートコントロール装置の表示部の動作を説明するための図である。
【図９】実施の形態４に係るリモートコントロール装置の表示部の動作を説明するための図である。
【図１０】実施の形態５に係るリモートコントロール装置の表示部の動作を説明するための図である。
【図１１】実施の形態６に係るリモートコントロール装置の表示部の動作を説明するための図である。
【図１２】実施の形態６に係るリモートコントロール装置の表示部の動作を説明するための図である。
【図１３】実施の形態７に係るリモートコントロール装置の表示部の動作を説明するための図である。
【図１４】実施の形態８に係るリモートコントロール装置の表示部の動作を説明するための図である。
【図１５】実施の形態９に係るリモートコントロール装置の表示部に表示されるメニュー画面の一例を示す図である。
【図１６】実施の形態９に係るリモートコントロール装置の表示部の動作を説明するための図である。
【図１７】実施の形態１０に係るリモートコントロール装置の表示部に表示されるメニュー画面の一例を示す図である。
【図１８】実施の形態１０に係るリモートコントロール装置の表示部の動作を説明するための図である。
【発明を実施するための形態】
【００１０】
以下、本発明に係るリモートコントロール装置について、図面を用いて説明する。
なお、以下で説明する構成、動作等は、一例にすぎず、本発明に係るリモートコントロール装置は、そのような構成、動作等である場合に限定されない。また、細かい構造、動作等の説明については、適宜簡略化又は省略している。また、重複又は類似する説明については、適宜簡略化又は省略している。
【００１１】
実施の形態１．
実施の形態１に係るリモートコントロール装置について説明する。
＜リモートコントロール装置の構成及び動作＞
実施の形態１に係るリモートコントロール装置の構成及び動作について説明する。
【００１２】
図１は、実施の形態１に係るリモートコントロール装置の外観を示す図である。図２は、実施の形態１に係るリモートコントロール装置のシステム構成を示す図である。
図１及び図２に示されるように、リモートコントロール装置１は、操作部２と、表示部３と、制御部４と、送受信部５と、を有する。
【００１３】
操作部２は、空気調和機等の運転及び停止を切り替えるための運転停止ボタン２１と、メニュー画面を表示部３に表示させるためのメニューボタン２２と、その時点で表示されている画面の前に表示されていた画面を表示部３に表示させるための戻るボタン２３と、表示部３に表示されている画面上で設定を切り替えたりするための複数のファンクションボタン２４と、表示部３でされた選択を確定するための決定ボタン２５と、を有する。操作部２が、設定値を上昇させたり、表示部３に表示されるカーソルを上方向に移動させたりすることに特化した、アップキーを有していてもよい。また、操作部２が、設定値を下降させたり、表示部３に表示されるカーソルを下方向に移動させたりすることに特化した、ダウンキーを有していてもよい。また、操作部２が、設定値を上昇及び下降させたり、表示部３に表示されるカーソルを上下左右方向に移動させたりするための、十字キーを有していてもよい。十字キーの中央に、決定ボタンとして機能するボタンが設けられていてもよい。
【００１４】
使用者等が操作部２を操作することによって入力された情報は、制御部４に出力される。また、制御部４は、送受信部５を介して空気調和機等から運転情報等を受信する。制御部４は、それらの情報を反映した画面を画面生成部４ａで生成して、表示部３に出力する。また、制御部４は、使用者等が操作部２を操作することによって設定が切り替えられると、新しい設定情報を空気調和機等に送信する。表示部３は、画面生成部４ａから入力された画面を表示する。表示部３は、例えば、液晶ディスプレイ、ＰＤＰディスプレイ、有機ＥＬディスプレイ、ＬＥＤディスプレイ、ＣＲＴディスプレイ等である。表示部３が液晶ディスプレイである場合には、画面が、ドットマトリクスによって表示されてもよい。
【００１５】
なお、リモートコントロール装置１は、室内の壁面等に固定して取り付けられたものであってもよく、また、自由に持ち運び可能なものであってもよい。また、送受信部５は、空気調和機等に有線で接続されてもよく、また、空気調和機等に無線で接続されてもよい。また、表示部３が、タッチパネル等であってもよい。つまり、操作部２の全て又は一部が、表示部３に表示される画面にソフトキーとして組み込まれていてもよい。
【００１６】
図３は、実施の形態１に係るリモートコントロール装置の表示部に表示されるメイン画面の一例を示す図である。
表示部３は、通常時において、図３に示されるようなメイン画面１００を表示する。メイン画面１００は、中央区画１０１と、上区画１０２と、左区画１０３と、右区画１０４と、に区画される。中央区画１０１には、設定温度の設定状態、室内の温度等が表示される。上区画１０２には、リモコンの名称、日時等が表示される。左区画１０３には、運転モードの設定状態等が表示される。右区画１０４には、風向、風速の設定状態等が表示される。使用者等は、表示部３にメイン画面１００が表示されている状態で、ファンクションボタン２４を押すことで、設定温度、運転モード、風向、風速等の設定状態を切り替えることができる。例えば、使用者等は、複数のファンクションボタン２４のうちの、白抜き文字で表示された「―」の下方に位置するファンクションボタン２４を押すことで、空気調和機等の設定温度を下げることができ、また、白抜き文字で表示された「＋」の下方に位置するファンクションボタン２４を押すことで、空気調和機等の設定温度を上げることができる。メイン画面１００は、本発明における「操作画面」に相当する。
【００１７】
図４は、実施の形態１に係るリモートコントロール装置の表示部に表示されるメニュー画面の一例を示す図である。
表示部３は、使用者等によってメニューボタン２２が押されると、図４に示されるようなメニュー画面２００を表示する。メニュー画面２００の項目表示区画２０１に、使用者等が行うことができる項目が一覧で表示される。表示部３は、使用者等が、ファンクションボタン２４を押して所望する項目の横にカーソル２０２を移動させて、決定ボタン２５を押すと、空気調和機等の運転状態の詳細な設定、空気調和機等の機種情報の確認等を行うための画面を表示する。
【００１８】
図５は、実施の形態１に係るリモートコントロール装置の表示部の動作を説明するための図である。
図５に示されるように、表示部３にメイン画面１００が表示されている状態で、使用者等が、予め登録されている所定の押し方（例えば、単発押し、３秒連続押し、２回押し等）で、設定温度を変化させるためのファンクションボタン２４を押すと、表示部３は、使用者等が設定することができる設定温度の範囲を表示する設定温度設定範囲表示画面３００を表示する。
【００１９】
設定温度設定範囲表示画面３００の中央区画３０１には、各運転モードと設定可能な設定温度の範囲とが対応付けられて表示される。その際、現在設定されている運転モードに対応する設定温度の範囲が、強調して表示されてもよい。例えば、運転モードが冷房（冷房運転）に設定されている状態で、設定温度設定範囲表示画面３００が表示された場合には、「冷房」の文字、「１９℃〜３０℃」の文字、又は「冷房：１９℃〜３０℃」の文字が点滅表示されてもよい。また、現在設定されている運転モードに対応する設定温度の範囲のみが表示されてもよい。このように動作されることで、使用者等が、前画面に戻ることなく、現在設定されている運転モードを知ることができる。
【００２０】
＜リモートコントロール装置の作用＞
実施の形態１に係るリモートコントロール装置の作用について説明する。
リモートコントロール装置１では、使用者等が各運転モードにおける設定可能な設定温度の範囲を確認したうえで、設定温度を変更することができるため、使用者等がボタンを不必要に押すこと、試行錯誤しつつ押すこと等が抑制されて、設定作業の効率性が向上される。また、使用者等が、空気調和機等を動作させることなく、メイン画面１００が表示されている状態での簡易な操作で設定温度設定範囲表示画面３００を表示させることができるため、設定可能な設定温度の範囲の確認作業の効率性が向上される。また、設定温度設定範囲表示画面３００において、現在設定されている運転モードを知ることができるため、画面を切り替える等の煩雑な作業が低減されて、設定作業及び確認作業の効率性が向上される。
【００２１】
実施の形態２．
実施の形態２に係るリモートコントロール装置について説明する。
なお、以下では、実施の形態１と重複又は類似する説明については、適宜簡略化又は省略している。
＜リモートコントロール装置の構成及び動作＞
実施の形態２に係るリモートコントロール装置の構成及び動作について説明する。
【００２２】
図６及び図７は、実施の形態２に係るリモートコントロール装置の表示部の動作を説明するための図である。
図６に示されるように、表示部３にメイン画面１００が表示されている状態で、使用者等が、予め登録されている所定の押し方（例えば、単発押し、３秒連続押し、２回押し等）で、白抜き文字で表示された「＋」の下方に位置するファンクションボタン２４を押すと、表示部３は、メイン画面１００の余白に設けられた設定温度設定範囲表示部１１０に、現在設定されている運転モードに対応する設定温度の範囲の上限値を表示する。また、図７に示されるように、表示部３にメイン画面１００が表示されている状態で、使用者等が、予め登録されている所定の押し方（例えば、単発押し、３秒連続押し、２回押し等）で、白抜き文字で表示された「−」の下方に位置するファンクションボタン２４を押すと、表示部３は、メイン画面１００の空き領域に設けられた設定温度設定範囲表示部１１０に、現在設定されている運転モードに対応する設定温度の範囲の下限値を表示する。
【００２３】
設定温度設定範囲表示部１１０において、上限値又は下限値が、点滅されて表示されてもよく、また、点灯されて表示されてもよい。また、設定温度設定範囲表示部１１０が、上区画１０２の中央部以外に設けられてもよい。上区画１０２の中央部に設けられることで、使用者等にその表示を強調することができる。
【００２４】
＜リモートコントロール装置の作用＞
実施の形態２に係るリモートコントロール装置の作用について説明する。
リモートコントロール装置１では、使用者等が各運転モードにおける設定可能な設定温度の範囲を確認したうえで、設定温度を変更することができるため、使用者等がボタンを不必要に押すこと、試行錯誤しつつ押すこと等が抑制されて、設定作業の効率性が向上される。また、使用者等が、空気調和機等を動作させることなく、メイン画面１００が表示されている状態での簡易な操作で、設定温度設定範囲表示部１１０に上限値又は下限値を表示させることができるため、設定可能な設定温度の範囲の確認作業の効率性が向上される。また、メイン画面１００において、設定可能な設定温度の範囲を知ることができるため、画面を切り替える等の煩雑な作業が低減されて、設定作業及び確認作業の効率性が向上される。
【００２５】
実施の形態３．
実施の形態３に係るリモートコントロール装置について説明する。
なお、以下では、実施の形態１及び実施の形態２と重複又は類似する説明については、適宜簡略化又は省略している。
＜リモートコントロール装置の構成及び動作＞
実施の形態３に係るリモートコントロール装置の構成及び動作について説明する。
【００２６】
図８は、実施の形態３に係るリモートコントロール装置の表示部の動作を説明するための図である。
図８に示されるように、表示部３にメイン画面１００が表示されている状態で、使用者等が、予め登録されている所定の押し方（例えば、単発押し、３秒連続押し、２回押し等）で、白抜き文字で表示された「＋」の下方に位置するファンクションボタン２４、又は、白抜き文字で表示された「−」の下方に位置するファンクションボタン２４を押すと、表示部３は、メイン画面１００の空き領域に設けられた設定温度設定範囲表示部１１０に、現在設定されている運転モードに対応する設定温度の範囲の上限値及び下限値を表示する。
【００２７】
設定温度設定範囲表示部１１０において、上限値及び下限値が、点滅されて表示されてもよく、また、点灯されて表示されてもよい。また、設定温度設定範囲表示部１１０が、上区画１０２の中央部以外に設けられてもよい。上区画１０２の中央部に設けられることで、使用者等にその表示を強調することができる。
【００２８】
＜リモートコントロール装置の作用＞
実施の形態３に係るリモートコントロール装置の作用について説明する。
リモートコントロール装置１では、使用者等が各運転モードにおける設定可能な設定温度の範囲を確認したうえで、設定温度を変更することができるため、使用者等がボタンを不必要に押すこと、試行錯誤しつつ押すこと等が抑制されて、設定作業の効率性が向上される。また、使用者等が、空気調和機等を動作させることなく、メイン画面１００が表示されている状態での簡易な操作で、設定温度設定範囲表示部１１０に上限値及び下限値を表示させることができるため、設定可能な設定温度の範囲の確認作業の効率性が向上される。また、メイン画面１００において、設定可能な設定温度の範囲を知ることができるため、画面を切り替える等の煩雑な作業が低減されて、設定作業及び確認作業の効率性が向上される。また、設定温度設定範囲表示部１１０に上限値と下限値との両方が表示されるため、例えば、使用者等が、ファンクションボタン２４を押した後に、設定温度を上げるか下げるかを変更するような場合等でも、表示部３に設定可能な設定温度の範囲を表示させるための動作をやり直す必要がなく、設定作業及び確認作業の効率性が向上される。
【００２９】
実施の形態４．
実施の形態４に係るリモートコントロール装置について説明する。
なお、以下では、実施の形態１〜実施の形態３と重複又は類似する説明については、適宜簡略化又は省略している。
＜リモートコントロール装置の構成及び動作＞
実施の形態４に係るリモートコントロール装置の構成及び動作について説明する。
【００３０】
図９は、実施の形態４に係るリモートコントロール装置の表示部の動作を説明するための図である。
図９に示されるように、表示部３にメイン画面１００が表示されている状態で、使用者等が、予め登録されている所定の押し方（例えば、単発押し、３秒連続押し、２回押し等）で、運転モードを変化させるためのファンクションボタン２４を押すと、表示部３は、使用者等が設定することができる運転モードの種類を表示する運転モード設定種類表示画面４００を表示する。
【００３１】
運転モード設定種類表示画面４００の中央区画４０１には、運転モードを変化させるためのファンクションボタン２４が繰り返し押された際に、表示される運転モードの遷移の順番が分かるように、各運転モードがその順番で列記される。その際、現在設定されている運転モードが、強調して表示されてもよい。例えば、運転モードとして冷房（冷房運転）が設定されている状態で、運転モード設定種類表示画面４００が表示された場合には、「冷房」の文字が点滅表示されてもよい。このように動作されることで、使用者等が、前画面に戻ることなく、現在設定されている運転モードを知ることができる。
【００３２】
＜リモートコントロール装置の作用＞
実施の形態４に係るリモートコントロール装置の作用について説明する。
リモートコントロール装置１では、使用者等が設定可能な運転モードの種類及び運転モードを設定する際の表示順序を確認したうえで、運転モードを変更することができるため、リモートコントロール装置１に接続されている機器によって、設定可能な運転モードの種類又は運転モードを設定する際の表示順序が異なるような場合でも、使用者等がボタンを不必要に押すこと、試行錯誤しつつ押すこと等が抑制されて、設定作業の効率性が向上される。また、使用者等が、空気調和機等を動作させることなく、メイン画面１００が表示されている状態での簡易な操作で運転モード設定種類表示画面４００を表示させることができるため、設定可能な運転モードの種類及び運転モードの表示順序の確認作業の効率性が向上される。また、運転モード設定種類表示画面４００において、現在設定されている運転モードを知ることができるため、画面を切り替える等の煩雑な作業が低減されて、設定作業及び確認作業の効率性が向上される。
【００３３】
実施の形態５．
実施の形態５に係るリモートコントロール装置について説明する。
なお、以下では、実施の形態１〜実施の形態４と重複又は類似する説明については、適宜簡略化又は省略している。
＜リモートコントロール装置の構成及び動作＞
実施の形態５に係るリモートコントロール装置の構成及び動作について説明する。
【００３４】
図４に示されるメニュー画面２００が表示された状態で、使用者等が、「風向・ルーバー・換気操作」の文字の横にカーソル２０２を移動させて、決定ボタン２５を押すと、表示部３は、風向・ルーバー・換気設定画面５００を表示する。なお、メイン画面１００に風向・ルーバー・換気設定画面５００の内容が表示されてもよく、そのような場合には、以下に説明する動作が、メイン画面１００が表示されている状態で行われる。風向・ルーバー・換気設定画面５００は、本発明の「操作画面」に相当する。
【００３５】
風向・ルーバー・換気設定画面５００は、左区画５０１と、中央区画５０２と、右区画５０３と、上区画５０４と、に区画される。左区画５０１には、風向を変化させるスイングモードが設定されていること、風向を変化させない固定モードが設定されていること、固定モードにおける風向の設定状態等が表示される。中央区画５０２には、換気動作の設定状態等が表示される。右区画５０３には、ルーバーの設定状態等が表示される。
【００３６】
図１０は、実施の形態５に係るリモートコントロール装置の表示部の動作を説明するための図である。
図１０に示されるように、表示部３に風向・ルーバー・換気設定画面５００が表示されている状態で、使用者等が、予め登録されている所定の押し方（例えば、単発押し、３秒連続押し、２回押し、白抜き文字で表示された「▽」の下方に位置するファンクションボタン２４と白抜き文字で表示された「△」の下方に位置するファンクションボタン２４との同時押し等）で、風向を変化させるためのファンクションボタン２４を押すと、表示部３は、使用者等が設定することができる風向を表示する風向設定種類表示画面６００を表示する。
【００３７】
風向設定種類表示画面６００の中央区画６０１には、風向を変化させるためのファンクションボタン２４が繰り返し押された際に、表示される風向の遷移の順番が分かるように、各風向を表す図形がその順番で列記される。その際、現在設定されている風向に対応する図形が、強調して表示されてもよい。また、スイングモードが設定されている場合には、「スイング中」等の文字が表示されてもよく、固定モードが設定されている場合には、「固定中」等の文字が表示されてもよい。このように動作されることで、使用者等が、前画面に戻ることなく、現在設定されている風向及びモードを知ることができる。
【００３８】
＜リモートコントロール装置の作用＞
実施の形態５に係るリモートコントロール装置の作用について説明する。
リモートコントロール装置１では、使用者等が設定可能な風向の種類及び風向を設定する際の表示順序を確認したうえで、風向を変更することができるため、リモートコントロール装置１に接続されている機器によって、設定可能な風向の種類又は風向を設定する際の表示順序が異なるような場合でも、使用者等がボタンを不必要に押すこと、試行錯誤しつつ押すこと等が抑制されて、設定作業の効率性が向上される。また、使用者等が、空気調和機等を動作させることなく、風向・ルーバー・換気設定画面５００が表示されている状態での簡易な操作で風向設定種類表示画面６００を表示させることができるため、設定可能な風向の種類及び風向を設定する際の表示順序の確認作業の効率性が向上される。また、風向設定種類表示画面６００において、現在設定されている風向及びモードを知ることができるため、画面を切り替える等の煩雑な作業が低減されて、設定作業及び確認作業の効率性が向上される。
【００３９】
実施の形態６．
実施の形態６に係るリモートコントロール装置について説明する。
なお、以下では、実施の形態１〜実施の形態５と重複又は類似する説明については、適宜簡略化又は省略している。
＜リモートコントロール装置の構成及び動作＞
実施の形態６に係るリモートコントロール装置の構成及び動作について説明する。
【００４０】
図１１及び図１２は、実施の形態６に係るリモートコントロール装置の表示部の動作を説明するための図である。
図１１及び図１２に示されるように、スイングモードが設定されている際、又は、固定モードが設定され、複数の段階（例えば、５段階）のうちの１つの段階の風向が設定されている際に、表示部３に風向・ルーバー・換気設定画面５００が表示されている状態で、使用者等が、予め登録されている所定の押し方（例えば、単発押し、３秒連続押し、２回押し、白抜き文字で表示された「▽」の下方に位置するファンクションボタン２４と白抜き文字で表示された「△」の下方に位置するファンクションボタン２４との同時押し等）で、風向を変化させるためのファンクションボタン２４を押すと、表示部３は、風向・ルーバー・換気設定画面５００において、風向を表す風向表示図形５１０の外側に風向設定上限表示線５１１及び風向設定下限表示線５１２を表示する。風向設定上限表示線５１１は、風向が最も上向きになっていることを示す状態での風向表示図形５１０の、例えば、上側に表示される。風向設定下限表示線５１２は、風向が最も下向きになっていることを示す状態での風向表示図形５１０の、例えば、横に表示される。スイングモードが設定されている際、及び、固定モードが設定され、複数の段階（例えば、５段階）のうちの１つの段階の風向が設定されている際の両方において、風向設定上限表示線５１１及び風向設定下限表示線５１２が表示されてもよい。風向設定上限表示線５１１及び風向設定下限表示線５１２が、点滅されて表示されてもよく、また、点灯されて表示されてもよい。
【００４１】
＜リモートコントロール装置の作用＞
実施の形態６に係るリモートコントロール装置の作用について説明する。
リモートコントロール装置１では、使用者等が設定可能な風向の範囲を確認したうえで、風向を変更することができるため、使用者等がボタンを不必要に押すこと、試行錯誤しつつ押すこと等が抑制されて、設定作業の効率性が向上される。また、使用者等が、空気調和機等を動作させることなく、風向・ルーバー・換気設定画面５００が表示されている状態での簡易な操作で、風向設定上限表示線５１１及び風向設定下限表示線５１２を表示させることができるため、設定可能な風向の範囲の確認作業の効率性が向上される。また、風向・ルーバー・換気設定画面５００において、設定可能な風向の範囲を知ることができるため、画面を切り替える等の煩雑な作業が低減されて、設定作業及び確認作業の効率性が向上される。
【００４２】
実施の形態７．
実施の形態７に係るリモートコントロール装置について説明する。
なお、以下では、実施の形態１〜実施の形態６と重複又は類似する説明については、適宜簡略化又は省略している。
＜リモートコントロール装置の構成及び動作＞
実施の形態７に係るリモートコントロール装置の構成及び動作について説明する。
【００４３】
図１３は、実施の形態７に係るリモートコントロール装置の表示部の動作を説明するための図である。
図１３に示されるように、表示部３にメイン画面１００が表示されている状態で、使用者等が、予め登録されている所定の押し方（例えば、単発押し、３秒連続押し、２回押し等）で、風速を変化させるためのファンクションボタン２４を押すと、表示部３は、使用者等が設定することができる風速の種類を表示する風速設定種類表示画面７００を表示する。なお、メイン画面１００の右区画１０４の白抜き文字が「▽風速△」等であってもよく、そのような場合には、上述の予め登録されている所定の押し方が、白抜き文字で表示された「▽」の下方に位置するファンクションボタン２４と白抜き文字で表示された「△」の下方に位置するファンクションボタン２４との同時押し等であってもよい。
【００４４】
風速設定種類表示画面７００の中央区画７０１には、風速を変化させるためのファンクションボタン２４が繰り返し押された際に、表示される風速の遷移の順番が分かるように、各風速を表す図形がその順番で列記される。その際、現在設定されている風速が、強調して表示されてもよい。また、風速が自動で設定される自動モードが設定されている場合には、「自動モード中」等の文字が表示されてもよい。このように動作されることで、使用者等が、前画面に戻ることなく、現在設定されている風速及びモードを知ることができる。
【００４５】
＜リモートコントロール装置の作用＞
実施の形態７に係るリモートコントロール装置の作用について説明する。
リモートコントロール装置１では、使用者等が設定可能な風速の種類及び風速を設定する際の表示順序を確認したうえで、風速を変更することができるため、リモートコントロール装置１に接続されている機器によって、設定可能な風速の種類又は風速を設定する際の表示順序が異なるような場合でも、使用者等がボタンを不必要に押すこと、試行錯誤しつつ押すこと等が抑制されて、設定作業の効率性が向上される。また、使用者等が、空気調和機等を動作させることなく、メイン画面１００が表示されている状態での簡易な操作で風速設定種類表示画面７００を表示させることができるため、設定可能な風速の種類及び風速の表示順序の確認作業の効率性が向上される。また、風速設定種類表示画面７００において、現在設定されている風速の種類及びモードを知ることができるため、画面を切り替える等の煩雑な作業が低減されて、設定作業及び確認作業の効率性が向上される。
【００４６】
実施の形態８．
実施の形態８に係るリモートコントロール装置について説明する。
なお、以下では、実施の形態１〜実施の形態７と重複又は類似する説明については、適宜簡略化又は省略している。
＜リモートコントロール装置の構成及び動作＞
実施の形態８に係るリモートコントロール装置の構成及び動作について説明する。
【００４７】
図１４は、実施の形態８に係るリモートコントロール装置の表示部の動作を説明するための図である。
図１４に示されるように、複数の段階（例えば、４段階）のうちの１つの段階の風速が設定されている際、又は、自動モードが設定されている際に、表示部３にメイン画面１００が表示されている状態で、使用者等が、予め登録されている所定の押し方（例えば、単発押し、３秒連続押し、２回押し等）で、風速を変化させるためのファンクションボタン２４を押すと、表示部３は、メイン画面１００において、風速を表す風速表示図形１２０の外側に風速設定上限表示線１２１を表示する。風速設定上限表示線１２１は、風速が最大になっていることを示す状態での風速表示図形１２０の、例えば、横に表示される。複数の段階（例えば、４段階）のうちの１つの段階の風速が設定されている際、及び、自動モードが設定されている際の両方において、風速設定上限表示線１２１が表示されてもよい。風速設定上限表示線１２１が、点滅されて表示されてもよく、また、点灯されて表示されてもよい。
【００４８】
＜リモートコントロール装置の作用＞
実施の形態８に係るリモートコントロール装置の作用について説明する。
リモートコントロール装置１では、使用者等が設定可能な風速の範囲を確認したうえで、風速を変更することができるため、使用者等がボタンを不必要に押すこと、試行錯誤しつつ押すこと等が抑制されて、設定作業の効率性が向上される。また、使用者等が、空気調和機等を動作させることなく、メイン画面１００が表示されている状態での簡易な操作で、風速設定上限表示線１２１を表示させることができるため、設定可能な風速の範囲の確認作業の効率性が向上される。また、メイン画面１００において、設定可能な風速の範囲を知ることができるため、画面を切り替える等の煩雑な作業が低減されて、設定作業及び確認作業の効率性が向上される。
【００４９】
実施の形態９．
実施の形態９に係るリモートコントロール装置について説明する。
なお、以下では、実施の形態１〜実施の形態８と重複又は類似する説明については、適宜簡略化又は省略している。
＜リモートコントロール装置の構成及び動作＞
実施の形態９に係るリモートコントロール装置の構成及び動作について説明する。
【００５０】
図１５は、実施の形態９に係るリモートコントロール装置の表示部に表示されるメニュー画面の一例を示す図である。
表示部３は、使用者等によってメニューボタン２２が押されると、図１５に示されるようなメニュー画面２００を表示する。
【００５１】
図１６は、実施の形態９に係るリモートコントロール装置の表示部の動作を説明するための図である。
メニュー画面２００が表示された状態で、使用者等が、「操作・設定範囲モニタ」の文字の横にカーソル２０２を移動させて、決定ボタン２５を押すと、図１６に示されるように、表示部３は、設定温度設定範囲表示画面３００を表示する。設定温度設定範囲表示画面３００において、使用者等が、白抜き文字で表示された「▽」の下方に位置するファンクションボタン２４を繰り返し押すと、設定温度設定範囲表示画面３００が、運転モード設定種類表示画面４００、風向設定種類表示画面６００、風速設定種類表示画面７００へと切り替わり、設定温度設定範囲表示画面３００に戻る。使用者等が、白抜き文字で表示された「△」の下方に位置するファンクションボタン２４を押すと、逆の順番で画面が切り替わる。
【００５２】
＜リモートコントロール装置の作用＞
実施の形態９に係るリモートコントロール装置の作用について説明する。
リモートコントロール装置１では、使用者等が、メイン画面１００からメニュー画面２００に切り替えた後に、各設定の設定可能な範囲及び種類を一連の画面としてまとめて確認することができるため、使用者等が、接続されている空気調和機等を操作することなく、各設定の設定可能な範囲及び種類を容易に確認することができることとなって、設定作業及び確認作業の効率性が向上される。
【００５３】
実施の形態１０．
実施の形態１０に係るリモートコントロール装置について説明する。
なお、以下では、実施の形態１〜実施の形態９と重複又は類似する説明については、適宜簡略化又は省略している。
＜リモートコントロール装置の構成及び動作＞
実施の形態１０に係るリモートコントロール装置の構成及び動作について説明する。
【００５４】
図１７は、実施の形態１０に係るリモートコントロール装置の表示部に表示されるメニュー画面の一例を示す図である。
表示部３は、使用者等によってメニューボタン２２が押されると、図１７に示されるようなメニュー画面２００を表示する。
【００５５】
図１８は、実施の形態１０に係るリモートコントロール装置の表示部の動作を説明するための図である。
メニュー画面２００が表示された状態で、使用者等が、「接続ユニット情報」の文字の横にカーソル２０２を移動させて、決定ボタン２５を押すと、図１８に示されるように、表示部３は、設定温度設定範囲表示画面３００を表示する。設定温度設定範囲表示画面３００において、使用者等が、白抜き文字で表示された「▽」の下方に位置するファンクションボタン２４を繰り返し押すと、設定温度設定範囲表示画面３００が、機種・機能情報表示画面８００、運転モード情報表示画面９００へと切り替わり、設定温度設定範囲表示画面３００に戻る。使用者等が、白抜き文字で表示された「△」の下方に位置するファンクションボタン２４を押すと、逆の順番で画面が切り替わる。
【００５６】
機種・機能情報表示画面８００には、例えば、接続されている空気調和機等の機種情報、風速の設定の可否及び設定可能な段数、風向の設定の可否及び設定可能な段数、スイングモードの有無、ルーバーの有無等が表示される。運転モード情報表示画面９００には、例えば、各運転モードの有無等が表示される。
【００５７】
＜リモートコントロール装置の作用＞
実施の形態１０に係るリモートコントロール装置の作用について説明する。
リモートコントロール装置１では、使用者等が、メイン画面１００からメニュー画面２００に切り替えた後に、接続される空気調和機等の仕様と設定の設定可能な範囲とを一連の画面としてまとめて確認することができるため、使用者等が、接続されている空気調和機等を操作することなく、接続される空気調和機等の仕様と設定の設定可能な範囲とを容易に確認することができることとなって、設定作業及び確認作業の効率性が向上される。
【００５８】
以上、実施の形態１〜実施の形態１０について説明したが、本発明は各実施の形態の説明に限定されない。例えば、各実施の形態の全て又は一部を組み合わせることも可能である。また、実施の形態１〜実施の形態１０で説明された内容が、空気調和機等の他の動作の設定に置き換えられてもよい。
【符号の説明】
【００５９】
１  リモートコントロール装置、２  操作部、３  表示部、４  制御部、４ａ  画面生成部、５  送受信部、２１  運転停止ボタン、２２  メニューボタン、２３  戻るボタン、２４  ファンクションボタン、２５  決定ボタン、１００  メイン画面、１０１  中央区画、１０２  上区画、１０３  左区画、１０４  右区画、１１０  設定温度設定範囲表示部、１２０  風速表示図形、１２１  風速設定上限表示線、２００  メニュー画面、２０１  項目表示区画、２０２  カーソル、３００  設定温度設定範囲表示画面、３０１  中央区画、４００  運転モード設定種類表示画面、４０１  中央区画、５００  風向・ルーバー・換気設定画面、５０１  左区画、５０２  中央区画、５０３  右区画、５０４  上区画、５１０  風向表示図形、５１１  風向設定上限表示線、５１２  風向設定下限表示線、６００  風向設定種類表示画面、６０１  中央区画、７００  風速設定種類表示画面、７０１  中央区画、８００  機種情報・機能情報表示画面、９００  運転モード情報表示画面。
【図１】
2015052786.tif 000003
【図２】
2015052786.tif 000004
【図３】
2015052786.tif 000005
【図４】
2015052786.tif 000006
【図５】
2015052786.tif 000007
【図６】
2015052786.tif 000008
【図７】
2015052786.tif 000009
【図８】
2015052786.tif 000010
【図９】
2015052786.tif 000011
【図１０】
2015052786.tif 000012
【図１１】
2015052786.tif 000013
【図１２】
2015052786.tif 000014
【図１３】
2015052786.tif 000015
【図１４】
2015052786.tif 000016
【図１５】
2015052786.tif 000017
【図１６】
2015052786.tif 000018
【図１７】
2015052786.tif 000019
【図１８】
2015052786.tif 000020
【手続補正書】
【提出日】平成27年11月19日(2015.11.19)
【手続補正１】
【補正対象書類名】明細書
【補正対象項目名】０００７
【補正方法】変更
【補正の内容】
【０００７】
本発明に係るリモートコントロール装置は、加熱動作及び冷却動作の少なくとも何れか一方を行う機器の運転状態を切り替えて設定するための操作部と、前記操作部における操作が反映された画面を表示する表示部と、前記表示部の表示動作を制御する制御部と、を備え、前記制御部は、前記表示部に、前記操作部で切り替えて設定可能な温度範囲、前記操作部で切り替えて設定可能な風向きの範囲、及び、前記操作部で切り替えて設定可能な風速の範囲の少なくとも何れか一つを表示させるものである。
【手続補正２】
【補正対象書類名】特許請求の範囲
【補正対象項目名】全文
【補正方法】変更
【補正の内容】
【特許請求の範囲】
【請求項１】
加熱動作及び冷却動作の少なくとも何れか一方を行う機器の運転状態を切り替えて設定するための操作部と、
前記操作部における操作が反映された画面を表示する表示部と、
前記表示部の表示動作を制御する制御部と、
を備え、
前記制御部は、前記表示部に、前記操作部で切り替えて設定可能な温度範囲、前記操作部で切り替えて設定可能な風向きの範囲、及び、前記操作部で切り替えて設定可能な風速の範囲の少なくとも何れか一つを表示させる、
ことを特徴とするリモートコントロール装置。
【請求項２】
前記制御部は、前記表示部に、
前記設定可能な温度範囲を各運転モードと対応付けて表示させる、
ことを特徴とする請求項１に記載のリモートコントロール装置。
【請求項３】
前記制御部は、前記表示部に、前記操作部で切り替えて設定可能な運転モードの種類を表示させる、
ことを特徴とする請求項１又は２に記載のリモートコントロール装置。
【請求項４】
前記制御部は、前記表示部に、前記設定可能な運転モード、前記設定可能な温度範囲、前記設定可能な風向き、及び、前記設定可能な風速の少なくとも何れか一つを一覧表示させる、
ことを特徴とする請求項３に記載のリモートコントロール装置。
【請求項５】
前記制御部は、前記表示部に、前記設定可能な運転モード、前記設定可能な風向き、及び、前記設定可能な風速の少なくとも何れか一つを、前記操作部における操作によって切り替えられる順に並べて一覧表示させる、
ことを特徴とする請求項４に記載のリモートコントロール装置。
【請求項６】
前記制御部は、前記表示部に、前記設定可能な運転モード、前記設定可能な温度範囲、前記設定可能な風向き、及び、前記設定可能な風速の少なくとも何れか一つと、前記機器の機種情報及び機能情報の少なくとも何れか一方と、を一連の画面として表示させる、
ことを特徴とする請求項３〜５の何れか一項に記載のリモートコントロール装置。
【請求項７】
前記制御部は、前記設定可能な温度範囲、前記設定可能な風向きの範囲、及び、前記設定可能な風速の範囲の少なくとも何れか一つを、前記表示部の操作画面に表示させる、
ことを特徴とする請求項１〜６の何れか一項に記載のリモートコントロール装置。
【請求項８】
加熱動作及び冷却動作の少なくとも何れか一方を行う機器の運転状態を切り替えて設定するための操作部と、
前記操作部における操作が反映された画面を表示する表示部と、
前記表示部の表示動作を制御する制御部と、
を備え、
前記制御部は、前記表示部に、前記操作部で切り替えて設定可能な温度範囲の上限、及び、前記操作部で切り替えて設定可能な温度範囲の下限の少なくとも何れか一つを表示させる、
ことを特徴とするリモートコントロール装置。
【手続補正書】
【提出日】平成28年9月26日(2016.9.26)
【手続補正１】
【補正対象書類名】明細書
【補正対象項目名】０００７
【補正方法】変更
【補正の内容】
【０００７】
本発明に係るリモートコントロール装置は、加熱動作及び冷却動作の少なくとも何れか一方を行う機器の運転状態を切り替えて設定するための操作部と、前記操作部における操作が反映された画面を表示する表示部と、前記表示部の表示動作を制御する制御部と、を備え、前記操作部は、前記表示部に表示されている画面上で設定温度、風向き、及び、風速の何れか一つの設定を切り替えるボタンを有し、前記制御部は、設定温度を切り替える前記ボタンが押された場合に前記表示部に、前記操作部で切り替えて設定可能な温度範囲を表示する制御と、風向きを切り替える前記ボタンが押された場合に前記表示部に、前記操作部で切り替えて設定可能な風向きの範囲を表示する制御と、風速を切り替える前記ボタンが押された場合に前記表示部に、前記操作部で切り替えて設定可能な風速の範囲を表示する制御の少なくとも何れか一つを行うものである。
【手続補正２】
【補正対象書類名】特許請求の範囲
【補正対象項目名】全文
【補正方法】変更
【補正の内容】
【特許請求の範囲】
【請求項１】
加熱動作及び冷却動作の少なくとも何れか一方を行う機器の運転状態を切り替えて設定するための操作部と、
前記操作部における操作が反映された画面を表示する表示部と、
前記表示部の表示動作を制御する制御部と、
を備え、
前記操作部は、前記表示部に表示されている画面上で設定温度、風向き、及び、風速の何れか一つの設定を切り替えるボタンを有し、
前記制御部は、設定温度を切り替える前記ボタンが押された場合に前記表示部に、前記操作部で切り替えて設定可能な温度範囲を表示する制御と、風向きを切り替える前記ボタンが押された場合に前記表示部に、前記操作部で切り替えて設定可能な風向きの範囲を表示する制御と、風速を切り替える前記ボタンが押された場合に前記表示部に、前記操作部で切り替えて設定可能な風速の範囲を表示する制御の少なくとも何れか一つを行う、
ことを特徴とするリモートコントロール装置。
【請求項２】
前記制御部は、前記表示部に、
前記設定可能な温度範囲を各運転モードと対応付けて表示させる、
ことを特徴とする請求項１に記載のリモートコントロール装置。
【請求項３】
前記制御部は、前記表示部に、前記操作部で切り替えて設定可能な運転モードの種類を表示させる、
ことを特徴とする請求項１又は２に記載のリモートコントロール装置。
【請求項４】
前記制御部は、前記表示部に、前記設定可能な運転モード、前記設定可能な温度範囲、前記設定可能な風向き、及び、前記設定可能な風速の少なくとも何れか一つを一覧表示させる、
ことを特徴とする請求項３に記載のリモートコントロール装置。
【請求項５】
前記制御部は、前記表示部に、前記設定可能な運転モード、前記設定可能な風向き、及び、前記設定可能な風速の少なくとも何れか一つを、前記操作部における操作によって切り替えられる順に並べて一覧表示させる、
ことを特徴とする請求項４に記載のリモートコントロール装置。
【請求項６】
前記制御部は、前記表示部に、前記設定可能な運転モード、前記設定可能な温度範囲、前記設定可能な風向き、及び、前記設定可能な風速の少なくとも何れか一つと、前記機器の機種情報及び機能情報の少なくとも何れか一方と、を一連の画面として表示させる、
ことを特徴とする請求項３〜５の何れか一項に記載のリモートコントロール装置。
【請求項７】
前記制御部は、前記設定可能な温度範囲、前記設定可能な風向きの範囲、及び、前記設定可能な風速の範囲の少なくとも何れか一つを、前記表示部の操作画面に表示させる、
ことを特徴とする請求項１〜６の何れか一項に記載のリモートコントロール装置。
【請求項８】
加熱動作及び冷却動作の少なくとも何れか一方を行う機器の運転状態を切り替えて設定するための操作部と、
前記操作部における操作が反映された画面を表示する表示部と、
前記表示部の表示動作を制御する制御部と、
を備え、
前記操作部は、前記表示部に表示されている画面上で設定温度を上げるボタンと、前記表示部に表示されている画面上で設定温度を下げるボタンを有し、
前記制御部は、前記設定温度を上げるボタンが押された場合に前記表示部に、前記操作部で切り替えて設定可能な温度範囲の上限を表示する制御と、前記設定温度を下げるボタンが押された場合に前記表示部に前記操作部で切り替えて設定可能な温度範囲の下限を表示する制御の少なくとも何れか一つを行う、
ことを特徴とするリモートコントロール装置。
【国際調査報告】
2015052786.tif 000021
2015052786.tif 000022